(57)【要約】【課題】枚葉紙などのシート状物をあばれさせることなく搬送案内をすることができるシート状物搬送ガイド装置が強く望まれていた。【解決手段】表面と裏面とを連通する孔を全面にわたって多数形成されたガイドプレート１を渡胴１１の周面に沿って円弧状をなすように渡胴１１の下方に配設し、枚葉紙を吸引する吸引装置２ａをガイドプレート１の下面の第一圧胴１１ａ側に取り付け、この吸引装置２ａよりも吸引力の小さい吸引装置２ｃをガイドプレート１の下面の第二圧胴１２ｂ側に取り付け、吸引装置２ａよりも小さい吸引力で吸引装置２ｃよりも大きい吸引力の吸引装置２ｂをガイドプレート１の下面の前記吸引装置２ａ，２ｃ間に取り付けて、枚葉紙の搬送方向下流側ほど吸引力を小さくすることにより、枚葉紙がガイドプレート１から離れるときの当該枚葉紙の受ける反動を大幅に小さくした。【選択図】図１
2009001431.tif 000002
【特許請求の範囲】
【請求項１】
スケルトン型の渡胴に沿って円弧状をなすように配設されて当該渡胴に始端側を把持されながら圧胴に搬送されるシート状物を搬送方向に沿って案内する案内部材と、
前記シート状物を前記案内部材側に吸引する吸引手段と
を備えてなるシート状物搬送ガイド装置であって、
前記吸引手段の前記シート状物に対する吸引力が当該シート状物の搬送方向下流側ほど小さい
ことを特徴とするシート状物搬送ガイド装置。
【請求項２】
請求項１に記載のシート状物搬送ガイド装置において、
前記案内部材を通過した後の前記シート状物があばれないように、当該シート状物の搬送方向下流側の前記吸引手段の吸引力が設定される
ことを特徴とするシート状物搬送ガイド装置。
【請求項３】
請求項２に記載のシート状物搬送ガイド装置において、
前記案内部材から前記シート状物が離れるときの当該シート状物の受ける反動が小さくなるように、当該シート状物の搬送方向下流側の前記吸引手段の吸引力が設定される
ことを特徴とするシート状物搬送ガイド装置。
【請求項４】
請求項１に記載のシート状物搬送ガイド装置において、
前記吸引手段が、前記シート状物の搬送方向に沿って複数配設されて、当該シート状物の搬送方向下流側に位置するものほど吸引力を小さくなるように設定可能な吸引装置を備えている
ことを特徴とするシート状物搬送ガイド装置。
【請求項５】
請求項１に記載のシート状物搬送ガイド装置において、
入力されたデータに基づいて、前記吸引手段の吸引力を調整する制御装置を備えている
ことを特徴とするシート状物搬送ガイド装置。
【発明の詳細な説明】
【技術分野】
【０００１】
本発明は、始端を把持されながら搬送されるシート状物を搬送方向に沿って案内するシート状物搬送ガイド装置に関する。
【背景技術】
【０００２】
シート状物である枚葉紙の厚さに対応できるように調整可能なスケルトン型の渡胴を備えた二色刷り枚葉印刷機の要部の概略構造を図３に示す。
【０００３】
図３に示すように、第一圧胴１２ａには、第一ゴム胴１３ａが対接している。第一ゴム胴１３ａには、第一版胴１４ａが対接している。第一版胴１４ａには、図示しない第一インキ供給装置のローラが対接している。また、第一圧胴１２ａには、枚葉紙の厚さに対応して径サイズを変更できる内部中空のスケルトン型の渡胴１１が対接している。この渡胴１１には、第二圧胴１２ｂが対接している。第二圧胴１２ｂには、第二ゴム胴１３ｂが対接している。第二ゴム胴１３ｂには、第二版胴１４ｂが対接している。第二版胴１４ｂには、図示しない第二インキ供給装置のローラが対接している。
【０００４】
一方、渡胴１１の下方には、表面と裏面とを連通する孔を全面にわたって多数形成されたガイドプレート１０１が当該渡胴１１の周面に沿って円弧状をなすようにして配設されている。ガイドプレート１０１の下面には、枚葉紙を吸引する吸引装置１０２が取り付けられている。
【０００５】
このような二色刷り枚葉印刷機では、シート状物である枚葉紙を図示しない給紙装置から給紙すると、当該枚葉紙が第一圧胴１２ａに始端側を把持されて巻き付けられ、第一版胴１４ａおよび第一ゴム胴１３ａを介して前記第一インキ供給装置からのインキを転移された後、渡胴１１に始端側を把持されて搬送され、第二圧胴１２ｂに始端側を把持されて巻き付けられ、第二版胴１４ｂおよび第二ゴム胴１３ｂを介して前記第二インキ供給装置からのインキを転移された後、当該枚葉紙を図示しない排紙装置に排紙している。
【０００６】
ここで、渡胴１１で枚葉紙を搬送する際、渡胴１１の内部が中空になっていることから、当該枚葉紙が渡胴１１の内部へ巻き込まれてしまう場合があるため、吸引装置１０２を作動して当該枚葉紙をガイドプレート１０１に吸い付けることにより、当該枚葉紙を渡胴１１の内部に巻き込むことなく搬送するようにしている。
【０００７】
【特許文献１】実願平３−０３２０１８号（実開平４−１２７７６０号）のマイクロフィルム
【特許文献２】特開平４−０７０７８７号公報
【特許文献３】特開平４−０５９５５５号公報
【発明の開示】
【発明が解決しようとする課題】
【０００８】
しかしながら、前述したような二色刷り枚葉印刷機においては、枚葉紙の始端側を渡胴１１から第二圧胴１２ｂにくわえ替えして枚葉紙がガイドプレート１０１から離れると、当該枚葉紙に加わっていた吸引力が急激になくなってしまうため、当該枚葉紙があばれてしまい、第二圧胴１２ｂの近傍の部材（例えば安全バー等）に接触して損紙となってしまう場合があった。
【０００９】
このため、枚葉紙などのシート状物をあばれさせることなく搬送案内をすることができるシート状物搬送ガイド装置が強く望まれていた。
【課題を解決するための手段】
【００１０】
前述した課題を解決するための、本発明によるシート状物搬送装置は、スケルトン型の渡胴に沿って円弧状をなすように配設されて当該渡胴に始端側を把持されながら圧胴に搬送されるシート状物を搬送方向に沿って案内する案内部材と、前記シート状物を前記案内部材側に吸引する吸引手段とを備えてなるシート状物搬送ガイド装置であって、前記吸引手段の前記シート状物に対する吸引力が当該シート状物の搬送方向下流側ほど小さいことを特徴とする。
【００１１】
また、本発明によるシート状物搬送装置は、上述したシート状物搬送ガイド装置において、前記案内部材を通過した後の前記シート状物があばれないように、当該シート状物の搬送方向下流側の前記吸引手段の吸引力が設定されることを特徴とする。
【００１２】
また、本発明によるシート状物搬送装置は、上述したシート状物搬送ガイド装置において、前記案内部材から前記シート状物が離れるときの当該シート状物の受ける反動が小さくなるように、当該シート状物の搬送方向下流側の前記吸引手段の吸引力が設定されることを特徴とする。
【００１３】
また、本発明によるシート状物搬送装置は、上述したシート状物搬送ガイド装置において、前記吸引手段が、前記シート状物の搬送方向に沿って複数配設されて、当該シート状物の搬送方向下流側に位置するものほど吸引力を小さくなるように設定可能な吸引装置を備えていることを特徴とする。
【００１４】
また、本発明によるシート状物搬送装置は、上述したシート状物搬送ガイド装置において、入力されたデータに基づいて、前記吸引手段の吸引力を調整する制御装置を備えていることを特徴とする。
【発明の効果】
【００１５】
本発明のシート状物搬送ガイド装置によれば、シート状物をあばれさせることなく搬送案内をすることができる。
【発明を実施するための最良の形態】
【００１６】
本発明によるシート状物搬送ガイド装置を二色刷り枚葉印刷機の渡胴部分に適用した場合の実施の形態を図１を用いて説明する。なお、図１は、その二色刷り枚葉印刷機の要部の概略構成図である。
【００１７】
図１に示すように、第一圧胴１２ａには、第一ゴム胴１３ａが対接している。第一ゴム胴１３ａには、第一版胴１４ａが対接している。第一版胴１４ａには、図示しない第一インキ供給装置のローラが対接している。また、第一圧胴１２ａには、枚葉紙の厚さに対応できるように調整可能なスケルトン型の渡胴１１が対接している。この渡胴１１には、第二圧胴１２ｂが対接している。第二圧胴１２ｂには、第二ゴム胴１３ｂが対接している。第二ゴム胴１３ｂには、第二版胴１４ｂが対接している。第二版胴１４ｂには、図示しない第二インキ供給装置のローラが対接している。
【００１８】
一方、渡胴１１の下方には、表面と裏面とを連通する孔を全面にわたって多数形成された案内部材であるガイドプレート１が当該渡胴１１の周面に沿って円弧状をなすようにして配設されている。ガイドプレート１の下面の枚葉紙搬送方向上流側には、枚葉紙を吸引する吸引装置２ａが取り付けられている。ガイドプレート１の下面の枚葉紙搬送方向下流側には、前記吸引装置２ａよりも吸引力を小さくなるようにボリュームを調整できる吸引装置２ｃが取り付けられている。ガイドプレート１の下面の前記吸引装置２ａ，２ｃ間には、吸引装置２ａよりも小さい吸引力で吸引装置２ｃよりも大きい吸引力となるようにボリュームを調整できる吸引装置２ｂが取り付けられている。
【００１９】
つまり、吸引装置２ａ〜２ｃは、枚葉紙の搬送方向下流側に位置するものほどその吸引力を小さくできるように設定可能となっているのである。例えば、吸引装置２ａの吸引力を１００とすると、吸引装置２ｂの吸引力を５０〜９０の範囲内（好ましくは７０）となるように設定でき、吸引装置３ｃの吸引力を１０〜８０の範囲内で上記吸引装置２ｂよりも小さい値（好ましくは４０）となるように設定できる。
【００２０】
このような吸引装置２ａ〜２ｃなどにより、本実施の形態では吸引手段を構成している。
【００２１】
このような二色刷り枚葉印刷機では、シート状物である枚葉紙を図示しない給紙装置から給紙すると、当該枚葉紙が第一圧胴１２ａに始端側を把持されて巻き付けられ、第一版胴１４ａおよび第一ゴム胴１３ａを介して前記第一インキ供給装置からのインキを転移された後、渡胴１１に始端側を把持されて搬送され、第二圧胴１２ｂに始端側を把持されて巻き付けられ、第二版胴１４ｂおよび第二ゴム胴１３ｂを介して前記第二インキ供給装置からのインキを転移された後、当該枚葉紙を図示しない排紙装置に排紙する。
【００２２】
ここで、吸引装置２ａ〜２ｃを作動して枚葉紙をガイドプレート１に吸い付け、枚葉紙を渡胴１１の内部に巻き込むことなく搬送案内していくと、吸引装置２ａ〜２ｃの吸引力が上述したように枚葉紙の搬送方向下流側ほど小さくなっていることから、ガイドプレート１に対する枚葉紙の吸い付き状態が搬送方向下流側にいくにしたがって徐々に弱くなっていくので、枚葉紙がガイドプレート１から離れるとき、当該枚葉紙の受ける反動が大幅に小さくなり、当該枚葉紙があばれることはない。このため、第二圧胴１２ｂの近傍の部材（例えば安全バー等）に接触して損紙となってしまうことを確実に防止することができる。
【００２３】
したがって、このようなシート状物搬送ガイド装置によれば、枚葉紙をあばれさせることなく搬送案内をすることができる。
【００２４】
なお、本実施の形態では、二色刷り枚葉印刷機のスケルトン型の渡胴１１の下方部分に適用した場合について説明したが、二色以上の多色刷り枚葉印刷機の各渡胴の下方部分を始めとして、一般的な印刷機の通常の渡胴の下方部分にそれぞれ適用することができるのはもちろんのこと、例えば、図２に示すように、枚葉印刷機の排紙装置の排紙チェーン２１の下方側に上述した場合と同様にして適用することも可能である。
【００２５】
また、本実施の形態では、三台の吸引装置２ａ〜２ｃを用いることにより、枚葉紙の搬送方向下流側ほど吸引力を小さくするようにしたが、その台数は枚葉紙の形状や重さなどのような諸条件に応じて適宜選定すればよい。
【００２６】
また、入力されたデータに基づいて吸引装置２ｂ，２ｃの前記ボリュームを調整する制御装置を設けることにより、吸引装置２ｂ，２ｃの吸引力を所望の大きさに調整できるようにすることも可能である。
【００２７】
また、本実施の形態では、枚葉紙をガイドプレート１に吸い付けながら搬送案内するように吸引装置２ａ〜２ｃの吸引力を設定したが、枚葉紙とガイドプレート１との間に隙間をあけながら当該枚葉紙をガイドプレート１で案内できるように、すなわち、枚葉紙をガイドプレート１に吸い付かせずに当該プレート１側に吸引した状態で搬送案内するように吸引装置２ａ〜２ｃの吸引力を設定することも可能である。
【００２８】
また、例えば、枚葉紙の搬送方向下流側ほど孔数の少ないガイドプレートを用い、当該ガイドプレートに形成された上記孔のすべてと連絡する単一の吸引装置を用いることにより、枚葉紙の搬送方向下流側ほど吸引力を小さくすることも可能である。
【図面の簡単な説明】
【００２９】
【図１】本発明によるシート状物搬送ガイド装置を二色刷り枚葉印刷機の渡胴部分に適用した場合の実施の形態の要部の概略構成図である。
【図２】本発明によるシート状物搬送ガイド装置を枚葉印刷機の排紙装置の排紙チェーン部分に適用した場合の実施の形態の要部の概略構成図である。
【図３】従来の二色刷り枚葉印刷機の一例の要部の概略構成図である。
【符号の説明】
【００３０】
１  ガイドプレート
２ａ〜２ｃ  吸引装置
１１  渡胴
１２ａ  第一圧胴
１２ｂ  第二圧胴
１３ａ  第一ゴム胴
１３ｂ  第二ゴム胴
１４ａ  第一版胴
１４ｂ  第二版胴
２１  排紙チェーン
【図１】
2009001431.tif 000003
【図２】
2009001431.tif 000004
【図３】
2009001431.tif 000005